(57)【要約】【課題】　スチールカメラの機能とカムコーダの機能とを一体化した映像撮影装置を提供する。【解決手段】　テープカセットが装・脱着できる本体と、前記本体に設けられ、複数のカメラ部を有するカメラユニットと、前記本体に設けられるディスプレイ手段と、カメラ部のうちの何れか１つのカメラ部に対応する撮影モードを検知するモード検知部と、モード検知部から伝達された信号に応じてカメラ部のうちの対応する何れか一方を駆動させる制御部とを有する。【選択図】　　　図１
2004135338.tif 000002
【特許請求の範囲】
【請求項１】
　テープカセットが装・脱着できる本体と、
　前記本体に設けられ、互異なった画素数を有し、互いに独立して駆動される複数のカメラ部を有するカメラユニットと、
　前記本体に設けられ、前記カメラ部のうちの選択された何れか一方で撮影される映像を表示するディスプレイ手段と、
　前記カメラ部のうちの選択された何れかのカメラ部に対応する撮影モードを検知するモード検知部と、
　前記モード検知部から伝達された信号に応じて撮影モードを選択し、選択された撮影モードに対応するカメラ部を駆動させる制御部とを有することを特徴とする映像撮影装置。
【請求項２】
　前記カメラユニットは、前記本体に対して回転自在に設けられ、回転角度に応じて前記モード検知部で検知される撮影モードが決定されることを特徴とする請求項１に記載の映像撮影装置。
【請求項３】
　前記モード検知部は、前記カメラユニットの回転時、１８０°角度を基準にして前記カメラ部に対応する撮影モードを検知することを特徴とする請求項２に記載の映像撮影装置。
【請求項４】
　前記カメラ部は、
　静画を撮影するデジタルスチールカメラ用の第１のカメラ部と、
　前記第１のカメラ部よりは少ない画素数を有し、動画を含む映像を撮影するデジタルビデオカメラ用の第２のカメラ部とを有することを特徴とする請求項１に記載の映像撮影装置。
【請求項５】
　前記第１および第２のカメラ部のそれぞれは、互いに撮影方向が反対となるように配置されていることを特徴とする請求項４に記載の映像撮影装置。
【請求項６】
　前記カメラユニットは、前記本体に所定角度だけ回転自在に設けられ、前記第１および第２のカメラ部は、前記カメラユニットの回転軸を中心に対称となるように配置されることを特徴とする請求項５に記載の映像撮影装置。
【請求項７】
　前記第１および第２のカメラ部は、前記カメラユニットの所定の回転角度の範囲内に位置する時に駆動可能であることを特徴とする請求項６に記載の映像撮影装置。
【請求項８】
　前記カメラユニットは、
　前記カメラ部を同一線上に反対方向に向かうように収容するハウジングと、
　前記ハウジングを前記本体に対して回転自在に連結するヒンジ部とを有することを特徴とする請求項１に記載の映像撮影装置。
【請求項９】
　前記ヒンジ部は、
　前記ハウジングに形成された孔に回転自在に取り付けられる中空状の第１の軸部材と、
　前記第１の軸部材に対して相対回転自在に取り付けられ、前記本体に形成された孔に固定される中空状の第２の軸部材とを有することを特徴とする請求項８に記載の映像撮影装置。
【請求項１０】
　前記ハウジングには、バッテリが装・脱着されるバッテリ装着部が設けられることを特徴とする請求項８に記載の映像撮影装置。
【請求項１１】
　前記ハウジングには、静画を格納するフラッシュメモリが装・脱着自在なフラッシュメモリ装着部が設けられることを特徴とする請求項８に記載の映像撮影装置。
【請求項１２】
　前記本体には、外部の音響信号を受信するマイクユニットと、記録された音響を送出するスピーカユニットがそれぞれ設けられることを特徴とする請求項１に記載の映像撮影装置。
【請求項１３】
　前記モード検知部は、前記カメラ部のうちの何れか一方はオンとし、他方のカメラ部はオフとする切換えスイッチを有し、そのオンしたカメラ部に相当する撮影モードを検知することを特徴とする請求項１に記載の映像撮影装置。
【請求項１４】
　前記切換えスイッチは、前記カメラユニットが前記本体に対して回転する時、所定の回転角度の範囲内に位置したカメラ部をオンとし、残りのカメラ部はオフとすることを特徴とする請求項１３に記載の映像撮影装置。
【請求項１５】
　前記ディスプレイ手段は、
　前記本体に設けられ、前記カメラ部を介して撮影される画像を表示するビューファインダと、
　前記本体に少なくとも２軸回転自在に設けられ、前記ビューファインダとは独立して画像を表示するディスプレイパネルとを有することを特徴とする請求項１に記載の映像撮影装置。
【請求項１６】
　前記第１のカメラ部は、
　デジタルスチールカメラ用の第１のレンズと、
　前記第１のレンズを介して撮像された静画を電気的な信号に変換するデジタルスチールカメラ用の第１のＣＣＤと、
　前記第１のＣＣＤを駆動させるように前記制御部によって制御される第１のドライバとを有することを特徴とする請求項４に記載の映像撮影装置。
【請求項１７】
　前記第２のカメラ部は、
　デジタルビデオカメラ用の第２のレンズと、
　前記第２のレンズを介して撮像された動画を電気的な信号に変換するデジタルビデオカメラ用の第２のＣＣＤと、
　前記制御部によって駆動制御されながら前記第２のＣＣＤを駆動させる第２のドライバとを有することを特徴とする請求項４または請求項１６に記載の映像撮影装置。
【請求項１８】
　前記カメラユニットは、前記カメラ部のうちの何れかで撮影をする時に、光を発光するフラッシュユニットを有することを特徴とする請求項１に記載の映像撮影装置。
【請求項１９】
　前記ハウジングの上部には、フラッシュユニットが出没可能に設けられることを特徴とする請求項８に記載の映像撮影装置。
【請求項２０】
　前記カメラユニットは、第１のカメラ部の映像撮影方向に発光するように設けられるフラッシュユニットを有することを特徴とする請求項４に記載の映像撮影装置。
【請求項２１】
　前記本体には、静画を含むデータを格納するフラッシュメモリが装・脱着自在なフラッシュメモリ装着部が設けられることを特徴とする請求項１に記載の映像撮影装置。
【請求項２２】
　前記フラッシュメモリ装着部は、前記フラッシュメモリが装着されているか否かを確認するための確認窓を有することを特徴とする請求項２１に記載の映像撮影装置。
【請求項２３】
　前記ハウジングの少なくとも一端部は、外側に湾曲するように形成されることを特徴とする請求項８に記載の映像撮影装置。
【請求項２４】
　前記カメラ部のうちのオフ状態のカメラ部と向かい合う前記本体の対応面は、内側に湾曲するように形成されることを特徴とする請求項８に記載の映像撮影装置。
【請求項２５】
　前記本体の上部には、フラッシュユニットが着脱自在に設けられるフラッシュユニット着脱部が設けられることを特徴とする請求項１に記載の映像撮影装置。
【請求項２６】
　前記本体は、
　前記テープカセットが装着されるムービングデッキが設けられたメイン本体と、
　前記メイン本体の側面に突出延長し、前記カメラユニットの一端部と向かい合うサブ本体とを有することを特徴とする請求項１に記載の映像撮影装置。
【請求項２７】
　前記ディスプレイ手段は、
　前記メイン本体に設けられるビューファインダと、
　前記サブ本体に少なくとも１軸回転自在に設けられ、前記ビューファインダと独立して駆動されるディスプレイパネルとを有することを特徴とする請求項２６に記載の映像撮影装置。
【請求項２８】
　前記サブ本体には、前記ディスプレイパネルが収容されるパネル収容溝が形成されることを特徴とする請求項２７に記載の映像撮影装置。
【請求項２９】
　前記パネル収容溝内には、外部機器との信号連結のための信号連結端子が設けられることを特徴とする請求項２８に記載の映像撮影装置。
【請求項３０】
　前記パネル収容溝内には、スピーカユニットが設けられることを特徴とする請求項２８または請求項２９に記載の映像撮影装置。
【請求項３１】
　前記カメラユニットの両端部は、湾曲面として形成され、前記サブ本体には、前記湾曲面と対応する形状の湾曲面が形成されることを特徴とする請求項２６に記載の映像撮影装置。
【請求項３２】
　前記カメラ部は、
　前記ハウジング内に設けられ、静画を撮影するデジタルスチールカメラ用の第１のカメラ部と、
　前記ハウジングに前記第１のカメラ部と対向する方向に動画を含む映像を撮影し、前記第１のカメラ部より少ない画素数を有するデジタルビデオカメラ用の第２のカメラ部とを有することを特徴とする請求項８に記載の映像撮影装置。
【請求項３３】
　前記ハウジングには、前記第１のカメラ部の機能を操作するための第１の操作ボタンと、前記第２のカメラ部の機能を操作するための第１の操作ボタンとがそれぞれ設けられることを特徴とする請求項３２に記載の映像撮影装置。
【請求項３４】
　前記バッテリ装着部は、前記ハウジングの外面に引込み形成され、バッテリが直接収容されることを特徴とする請求項１０に記載の映像撮影装置。
【請求項３５】
　前記バッテリ装着部に装着されたバッテリをロック・ロック解除するロック解除ユニットと、
　ロック解除されたバッテリを前記バッテリ装着部から強制出没させて離脱させる離脱ユニットとを有することを特徴とする請求項１０に記載の映像撮影装置。
【請求項３６】
　前記離脱ユニットは、
　前記バッテリ装着部の底面に出没可能に設けられる付勢突起と、
　前記付勢突起を外側に弾性付勢するばねとを有することを特徴とする請求項３５に記載の映像撮影装置。
【請求項３７】
　前記バッテリ装着部の底部には、バッテリと電気的に連結される一対の電源端子部が設けられることを特徴とする請求項３５に記載の映像撮影装置。
【請求項３８】
　前記ロック解除ユニットと前記電源端子部とは、前記バッテリ装着部内で互いに反対側に離間するように設けられることを特徴とする請求項３７に記載の映像撮影装置。
【請求項３９】
　前記離脱ユニットは、前記バッテリ装着部の底部に設けられるが、前記電源端子部よりは前記ロック解除ユニットにより近く設けられることを特徴とする請求項３８に記載の映像撮影装置。
【請求項４０】
　前記バッテリ装着部は、前記ハウジングが回転中心を基準に何れか一側に偏るように前記ハウジングの外側に引込み形成されることを特徴とする請求項１０に記載の映像撮影装置。
【請求項４１】
　前記バッテリ装着部は、所定の曲率からなる少なくとも１つの内側曲面を有することを特徴とする請求項１０に記載の映像撮影装置。
【請求項４２】
　前記ハウジングは、前記バッテリ装着部の内側曲面と同一の曲率中心を有するように少なくとも何れかの一端に曲面を有することを特徴とする請求項４１に記載の映像撮影装置。
【請求項４３】
　前記ハウジングの曲面と前記バッテリ装着部の内側曲面との曲率中心は、前記ハウジングの回転中心と一致することを特徴とする請求項４２に記載の映像撮影装置。
【請求項４４】
　前記カメラユニットは、
　前記第１および第２のカメラ部を回転中心を基準に互いに対向するように収容するハウジングと、
　前記ハウジングを前記本体に対して回転自在に連結するヒンジ部とを有することを特徴とする請求項４に記載の映像撮影装置。
【請求項４５】
　前記ハウジングの外側には、バッテリが装・脱着できるバッテリ装着部が設けられるが、前記ハウジングの回転中心を基準に前記第２のカメラ部側に偏るように設けられることを特徴とする請求項４４に記載の映像撮影装置。
【請求項４６】
　前記ハウジングに向かい合う前記本体の一側面には、前記ハウジングの曲面および内側曲面に対応する曲面が設けられることを特徴とする請求項４２に記載の映像撮影装置。
【請求項４７】
　前記ハウジングの曲面と前記内側曲面および前記本体の曲面は、同一の曲率中心を有し、互異なった曲率半径を有することを特徴とする請求項４６に記載の映像撮影装置。
【請求項４８】
　前記ハウジングには、前記第１のカメラ部および前記第２のカメラ部のそれぞれの機能を選択されたモードによって共用に操作可能な第３の操作ボタンがさらに設けられることを特徴とする請求項３３に記載の映像撮影装置。
【請求項４９】
　前記第１および第２の操作ボタンは、対応するカメラ部の駆動モード時に所定の操作位置に選択的に位置されるように前記ハウジングに設けられることを特徴とする請求項３３に記載の映像撮影装置。
【請求項５０】
　前記第１および第２の操作ボタンは、前記ハウジングの互いに対向する第１および第２の面にそれぞれ設けられることを特徴とする請求項４９に記載の映像撮影装置。
【発明の詳細な説明】
【技術分野】
【０００１】
　本発明は、デジタルスチールカメラおよびデジタルビデオカメラの機能を一体化した映像撮影装置に関する。
【背景技術】
【０００２】
　一般に、デジタルスチールカメラ（ＤＳＣ）は、レンズを介して入る映像をデジタル信号に変換してハードディスクまたはメモリカードなどのような記録媒体に格納する。即ち、撮影された映像をフィルムなどに記録せずに前記記録媒体に格納し、スキャナーなどを用いることなく直接コンピュータにデジタルイメージとして入力することができる。このようなデジタルスチールカメラは、パソコンとの互換性が高いため、編集および修正作業が簡単であり、外部のコンピュータと連結して撮影映像を伝送することができる。また、デジタルスチールカメラは、一般のカメラと同等な構造を有するため、携帯が容易である。即ち、デジタルスチールカメラは、レンズ装置、メモリ装置、信号変調装置、ディスプレイ装置などを備える。ところで、このようなデジタルスチールカメラは、映像を記録する記録媒体の容量などの理由から、静画の撮影に主に使用される。即ち、動画を撮影し得る機能を有してはいるが、長時間の撮影が実質的に不可能である。特に、動画を撮影し、再生時に音響を共に記録および再生する装置を有しないため、実質的には動画の撮影および再生には適合しない。このような点を満たすため、テープのような記録媒体に撮影される被写体の画像および音響などを記録および再生する記録・再生装置、たとえば、カムコーダが広く普及されつつある。
【０００３】
　前記カムコーダは、レンズ装置、信号変換装置、撮影された映像を記録・再生するデッキ装置、ディスプレイ装置などを備える。このようなカムコーダは、主にカセットテープを記録媒体とし、そのカセットテープをデッキ装置に装着して撮影された動画を記録する。また、カムコーダは、マイク装置およびスピーカ装置が設けられ、装着されたカセットテープで一時間以上の撮影が可能である。このようなカムコーダは、静画を撮影する機能を有してはいるが、前述のデジタルスチールカメラの画質に比べて劣るため、主に動画の撮影に使用される。また、カムコーダは、デジタルスチールカメラより多機能を有し、複雑な構成となっているため、一般にサイズが相対的に大きく、高価である。
【０００４】
　なお、今までは、上述のように、デジタルスチールカメラとカムコーダのそれぞれの機能を利用するためには、２つの製品を別に購入する必要があり、経済的な負担がかなり大きくなる。また、購入後、それぞれの機能を活用するためには２つの製品を同時に携帯する必要があった。
【発明の開示】
【発明が解決しようとする課題】
【０００５】
　本発明は、上記の問題点を解決するためになされたものであって、本発明の目的は、デジタルスチールカメラとカムコーダとが単一の製品として一体化した映像撮影装置を提供することにある。
【課題を解決するための手段】
【０００６】
　上記の目的を達成するための本発明に係る映像撮影装置は、テープカセットが装・脱着できる本体と、前記本体に設けられ、互いに異なった画素数を有し、互いに独立して駆動される複数のカメラ部を有するカメラユニットと、前記本体に設けられ、前記カメラ部のうちの選択された何れか一方で撮影される映像を表示するディスプレイ手段と、前記カメラ部のうちの選択された何れかのカメラ部に対応する撮影モードを検知するモード検知部と、前記モード検知部から伝達された信号に応じて撮影モードを選択し、選択された撮影モードに対応するカメラ部を駆動させる制御部とを有することを特徴とする。
【０００７】
　ここで、前記カメラユニットは、前記本体に対して回転自在に設けられ、回転角度に応じて前記モード検知部で検知される撮影モードが決定されることが好ましい。
【０００８】
　また、前記モード検知部は、前記カメラユニットの回転時、１８０°角度を基準にして前記カメラ部に対応する撮影モードを検知することが好ましい。
【０００９】
　また、前記カメラ部は、静画を撮影するデジタルスチールカメラ用の第１のカメラ部と、前記第１のカメラ部よりは少ない画素数を有し、動画を含む映像を撮影するデジタルビデオカメラ用の第２のカメラ部とを有することが好ましい。
【００１０】
　また、前記第１および第２のカメラ部のそれぞれは、互いに撮影方向が反対となるように配置されていることが好ましい。
【００１１】
　また、前記カメラユニットは、前記本体に所定角度だけ回転自在に設けられ、前記第１および第２のカメラ部は、前記カメラユニットの回転軸を中心に対称となるように配置されることが好ましい。
【００１２】
　また、前記第１および第２のカメラ部は、前記カメラユニットの所定の回転角度の範囲内に位置する時に駆動可能であることが好ましい。
【００１３】
　また、前記カメラユニットは、前記カメラ部を同一線上に反対方向に向かうように収容するハウジングと、前記ハウジングを前記本体に対して回転自在に連結するヒンジ部とを有することが好ましい。
【００１４】
　また、前記ヒンジ部は、前記ハウジングに形成された孔に回転自在に取り付けられる中空状の第１の軸部材と、前記第１の軸部材に対して相対回転自在に取り付けられ、前記本体に形成された孔に固定される中空状の第２の軸部材とを有することが好ましい。
【００１５】
　また、前記ハウジングには、バッテリが装・脱着されるバッテリ装着部が設けられることが好ましい。
【００１６】
　また、前記ハウジングには、静画を格納するフラッシュメモリが装・脱着自在なフラッシュメモリ装着部が設けられることが好ましい。
【００１７】
　また、前記本体には、外部の音響信号を受信するマイクユニットと、記録された音響を送出するスピーカユニットとがそれぞれ設けられることが好ましい。
【００１８】
　また、前記モード検知部は、前記カメラ部のうちの何れか一方はオンとし、他方のカメラ部はオフとする切換えスイッチを有し、そのオンしたカメラ部に相当する撮影モードを検知することが好ましい。
【００１９】
　また、前記切換えスイッチは、前記カメラユニットが前記本体に対して回転する時に、所定の回転角度の範囲内に位置したカメラ部をオンとし、残りのカメラ部はオフとすることが好ましい。
【００２０】
　また、前記ディスプレイ手段は、前記本体に設けられ、前記カメラ部を介して撮影される画像を表示するビューファインダと、前記本体に少なくとも２軸回転自在に設けられ、前記ビューファインダとは独立して画像を表示するディスプレイパネルとを有することが好ましい。
【００２１】
　また、前記第１のカメラ部は、デジタルスチールカメラ用の第１のレンズと、前記第１のレンズを介して撮像された静画を電気的な信号に変換するデジタルスチールカメラ用の第１のＣＣＤと、前記第１のＣＣＤを駆動させるように前記制御部によって制御される第１のドライバとを有することが好ましい。
【００２２】
　また、前記第２のカメラ部は、デジタルビデオカメラ用の第２のレンズと、前記第２のレンズを介して撮像された動画を電気的な信号に変換するデジタルビデオカメラ用の第２のＣＣＤと、前記制御部によって駆動制御されながら前記第２のＣＣＤを駆動させる第２のドライバとを有することが好ましい。
【００２３】
　また、前記カメラユニットは、前記カメラ部のうちの何れか一方で撮影をする時に、光を発光するフラッシュユニットを有することが好ましい。
【００２４】
　また、前記ハウジングの上部には、フラッシュユニットが出没可能に設けられることが好ましい。
【００２５】
　また、前記カメラユニットは、前記第１のカメラ部の映像撮影方向に発光するように設けられるフラッシュユニットを有することが好ましい。
【００２６】
　また、前記本体には、静画を含むデータを格納するフラッシュメモリが装・脱着自在なフラッシュメモリ装着部が設けられることが好ましい。
【００２７】
　また、前記フラッシュメモリ装着部は、前記フラッシュメモリが装着されているか否かを確認するための確認窓を有することが好ましい。
【００２８】
　また、前記ハウジングの少なくとも一端部は、外側に湾曲するように形成されることが好ましい。
【００２９】
　また、前記カメラ部のうちのオフ状態のカメラ部と向かい合う前記本体の対応面は、内側に湾曲するように形成されることが好ましい。
【００３０】
　また、前記本体の上部には、フラッシュユニットが着脱自在に設けられるフラッシュユニット着脱部が設けられることが好ましい。
【００３１】
　また、前記本体は、前記テープカセットが装着されるムービングデッキが設けられたメイン本体と、前記メイン本体の側面に突出延長し、前記カメラユニットの一端部と向かい合うサブ本体とを有することが好ましい。
【００３２】
　また、前記ディスプレイ手段は、前記メイン本体に設けられるビューファインダと、前記サブ本体に少なくとも１軸回転自在に設けられ、前記ビューファインダと独立して駆動されるディスプレイパネルとを有することが好ましい。
【００３３】
　また、前記サブ本体には、前記ディスプレイパネルが収容されるパネル収容溝が形成されることが好ましい。
【００３４】
　また、前記パネル収容溝内には、外部機器との信号連結のための信号連結端子が設けられることが好ましい。
【００３５】
　また、前記パネル収容溝内には、スピーカユニットが設けられることが好ましい。
【００３６】
　また、前記カメラユニットの両端部は、湾曲面として形成され、前記サブ本体には、前記湾曲面と対応する形状の湾曲面が形成されることが好ましい。
【００３７】
　また、前記カメラ部は、前記ハウジング内に設けられ、静画を撮影するデジタルスチールカメラ用の第１のカメラ部と、前記ハウジングに前記第１のカメラ部と対向する方向に動画を含む映像を撮影し、前記第１のカメラ部より少ない画素数を有するデジタルビデオカメラ用の第２のカメラ部とを有することが好ましい。
【００３８】
　また、前記ハウジングには、前記第１のカメラ部の機能を操作するための第１の操作ボタンと前記第２のカメラ部の機能を操作するための第１の操作ボタンとがそれぞれ設けられることが好ましい。
【００３９】
　また、前記バッテリ装着部は、前記ハウジングの外面に引込み形成され、バッテリが収容されることが好ましい。
【００４０】
　また、前記バッテリ装着部に装着されたバッテリをロック・ロック解除するロック解除ユニットと、ロック解除されたバッテリを前記バッテリ装着部から強制出没させて離脱させる離脱ユニットとを有することが好ましい。
【００４１】
　また、前記離脱ユニットは、前記バッテリ装着部の底面に出没可能に設けられる付勢突起と、前記付勢突起を外側に弾性付勢するばねとを有することが好ましい。
【００４２】
　また、前記バッテリ装着部の底部には、バッテリと電気的に連結される一対の電源端子部が設けられることが好ましい。
【００４３】
　また、前記ロック解除ユニットと前記電源端子部とは、前記バッテリ装着部内で互いに反対側に離間するように設けられることが好ましい。
【００４４】
　また、前記離脱ユニットは、前記バッテリ装着部の底部に設けられるが、前記電源端子部よりは前記ロック解除ユニットにより近く設けられることが好ましい。
【００４５】
　また、前記バッテリ装着部は、前記ハウジングが回転中心を基準に何れか一側に偏るように前記ハウジングの外側に引込み形成されることが好ましい。
【００４６】
　また、前記バッテリ装着部は、所定の曲率からなる少なくとも１つ以上の内側曲面を有することが好ましい。
【００４７】
　また、前記ハウジングは、前記バッテリ装着部の内側曲面と同一の曲率中心を有するように少なくとも何れかの一端に曲面を有することが好ましい。
【００４８】
　また、前記ハウジングの曲面と前記バッテリ装着部の内側曲面との曲率中心は、前記ハウジングの回転中心と一致することが好ましい。
【００４９】
　また、前記ハウジングの外側には、バッテリが装・脱着できるバッテリ装着部が設けられるが、前記ハウジングの回転中心を基準に前記第２のカメラ部側に偏るように設けられることが好ましい。
【００５０】
　また、前記ハウジングには、前記第１のカメラ部および前記第２のカメラ部のそれぞれの機能を選択されたモードによって共用に操作可能な第３の操作ボタンがさらに設けられることが好ましい。
【００５１】
　また、前記第１および第２の操作ボタンは、対応するカメラ部の駆動モード時に所定の操作位置に選択的に位置されるように前記ハウジングに設けられ、前記第１および第２の操作ボタンは、前記ハウジングの互いに対向する第１および第２の面にそれぞれ設けられることが好ましい。
【発明の効果】
【００５２】
　本発明の映像撮影装置によれば、デジタルスチールカメラとデジタルビデオカメラ（カムコーダ）とを一体化して各機能を選択的に使用することができる。
【００５３】
　従って、従来のものに比べて低費用で２つの機能を有する製品を提供することができる。
【００５４】
　２つの機能を一体化したにもかかわらず、バッテリ、メモリ装置などを共用化することによってサイズをコンパクト化することができるため、小型化および軽量化が可能であると共に携帯が容易である。
【００５５】
　また、カメラユニットのみを回転させながら撮影することができるため、撮影者が楽な姿勢で撮影し得る利点がある。
【発明を実施するための最良の形態】
【００５６】
　以下、本発明の実施例に係る映像撮影装置を、添付の図面を参照して詳述する。
【実施例１】
【００５７】
　図１および図２に示されたように、本発明の実施例に係る映像撮影装置は、デジタルスチールカメラおよびデジタルビデオカメラの機能を有するものであって、本体１０、前記本体１０に連結されるカメラユニット２０、本体１０に設けられるディスプレイ手段３０、モード検知部４０および制御部５０を備える。
【００５８】
　本体１０は、平面上でほぼ逆Ｌ字形状を有する。この本体１０内部には、動画を記録するためのテープカセットが装・脱着されるムービングデッキが設けられる。即ち、図３に示されたように、本体１０の底面には、テープカセットを装着するためのデッキドア１１が開閉可能に設けられる。このようなデッキドア１１は、図４に仮想線で示したように、本体１０の下部を開放することでムービングデッキ１２にテープカセットを装着し得るようになる。このようなデッキドア１１およびムービングデッキ１２の技術は、一般的なカムコーダに適用する技術と同様であるため、詳細な説明は、省略する。また、本体１０の一端部、即ち、撮影方向（Ａ）に露出される本体１０の後端部には、再生される音響を出力するスピーカユニット１３と外部の音響を取得するためのマイクユニット１４とがそれぞれ設けられる。また、本体の上面には、フラッシュなどのアクセサリを装着するためのアクセサリ装着部１５が設けられる。
【００５９】
　カメラユニット２０は、本体１０に動き可能に設けられるハウジング２１と、互いに異なった画素数を有する複数のカメラからなるカメラ部を備える。ハウジング２１は、図４に示されたように、ヒンジ部２７によって本体１０に回転自在に連結される。即ち、ハウジング２１は、本体１０の側面に回転軸（Ｘ）を基準にして少なくとも１８０°以上回転および復帰可能に連結される。また、ハウジング２１には、バッテリ６０が着脱自在に装着されるバッテリ装着部２２が設けられる。バッテリ装着部２２は、ハウジング２１の一端からバッテリをスライド方式で装着することができる。
【００６０】
　カメラ部は、静画を撮影するためのデジタルスチールカメラ用の第１のカメラ部２３と、第１のカメラ部２３よりは少ない画素数を有し、動画を含む映像を撮影するためのデジタルビデオカメラ用の第２のカメラ部２５を備える。
【００６１】
　第１のカメラ部２３は、デジタルスチールカメラ用の第１のレンズ２３ａと、第１のレンズ２３ａを介して撮像された静画を電気的な信号に変換するデジタルスチールカメラ用の第１のＣＣＤ２３ｂと、第１のＣＣＤ２３ｂを駆動させるための第１のドライバ２３ｃを備える。第１のドライバ２３ｃは、制御部５０によって駆動が制御される。即ち、静画を撮影するモードと決定されると、制御部５０は、第１のドライバ２３ｃを制御して第１のＣＣＤ２３ｂを駆動させる。このような第１のカメラ部２３は、一般的なデジタルスチールカメラの構成と同様であるため、詳細な説明は、省略する。
【００６２】
　第２のカメラ部２５は、デジタルビデオカメラ用の第２のレンズ２５ａと、第２のレンズ２５ａで撮像された動画または静画を電気的な信号に変換するデジタルビデオカメラ用第２のＣＣＤ２５ｂと、制御部５０で制御されながら第２のＣＣＤ２５ｂを駆動させる第２のドライバ２５ｃとを備える。動画撮影モードまたは第２のカメラ部２５による静画撮影モードである時、制御部５０は、第２のドライバ２５ｃを制御して第２のＣＣＤ２５ｂを駆動させる。このような第２のカメラ部２５は、通常のデジタルビデオカメラ、たとえばカムコーダなどに適用される構成であるため、詳細な説明は、省略する。
【００６３】
　なお、第１および第２のカメラ部２３、２５のそれぞれは、ハウジング２１内で同一線上に配置されることが好ましく、その撮像方向は、互いに反対となるように配置される。従って、第１のカメラ部２３の第１のレンズ２３ａが、図１のように、ハウジング２１の一端に露出されるように設けられると、第２のカメラ部２３の第２のレンズ２５ｂは、ハウジング２１の反対側他端に露出されるように設けられる。即ち、図５に示されたように、第１のカメラ部２３と第２のカメラ部２５とのそれぞれは、ハウジング２１の本体１０に対する回転軸（Ｘ）を基準に互いに対称となるように配置される。従って、第１および第２のカメラ部２３、２５は、回転軸（Ｘ）を基準にして１８０°角度を維持するように配置され、ハウジング２１が１８０°回転されると、カメラ部２３、２５の位置は、互いにかわることになる。カメラ部２３、２５のうち撮影方向（Ａ）に向かうように位置したカメラ部２３に相当するモードと決定され、そのカメラ部２３が駆動され、反対側のカメラ部２５は、オフ状態が維持される。カメラ部２３、２５の動作関係については、後述する。
【００６４】
　次いで、ハウジング２１を本体１０に対して回転自在に連結するためのヒンジ部２７は、図４に示されたように、ハウジング２１に回転自在に設けられる中空状の第１の軸部２７ａと、本体１０に回転自在に設けられ、第１の軸部２７ａと結合される中空状の第２の軸部２７ｂとを有する。即ち、第１の軸部２７ａは、ハウジング２１の本体１０に向かい合う側面に形成された孔に嵌められる。第１の軸部２７ａは、ハウジング２１の孔より大きなフランジ部を有し、そのフランジ部がハウジング２１の内部に位置する。従って、第１の軸部２７ａは、ハウジング２１において孔から抜けることができない。第２の軸部２７ｂは、本体１０に形成された孔に嵌められる。第２の軸部２７ｂは、同様に、本体１０の孔より大きなフランジ部を有し、フランジ部が本体１０内部に位置されるように、孔に嵌められる。また、第１の軸部２７ａと第２の軸部２７ｂとは、スクリュー（Ｓ）で相互結合される。従って、本体１０とハウジング２１とは、各軸部２６ａ、２７ｂの結合によって相対的に回転自在に連結される。即ち、軸部２７ａ、２７ｂを中心にハウジング２１は本体１０に対して回転自在となる。また、軸部２７ａ、２７ｂの中心が中空状であるため、その空いた空間を、本体１０とハウジング２１との間の信号伝達および電源供給のための種々のケーブルが通過する。好ましくは、本体１０にメイン回路基板１０ａが設けられ、ハウジング２１内にサブ回路基板２１ａがそれぞれ設けられる場合、それらをそれぞれＦＰＣのような信号ケーブルで直接連結することができる。この場合、ＦＰＣのような信号ケーブルは、少なくともハウジングの回転範囲においては自由に変形および復元されながら信号伝達を可能とすることができる。
【００６５】
　ディスプレイ手段３０は、図６に示されたように、本体１０に設けられ、カメラ部２３、２５を介して撮影される映像をディスプレイするビューファインダ３１と、本体１０に設けられたＬＣＤパネル３３を備える。ビューファインダ３１は、一般のカムコーダに設けられるものと類似した構成および機能を有するため、詳細な説明は省略する。
【００６６】
　ＬＣＤパネル３３は、図７に示されたように、本体１０の前面に設けられた収容部１４に収容される。また、ＬＣＤパネル３３は、たとえば、収容部１４を開閉させるように収容部１４の上端にジョイント３４によって回転自在に結合される。そして、ジョイント３４は、２軸（Ｘ’、Ｙ’）に対してそれぞれ回転できるようにＬＣＤパネル３３を支持する。従って、ＬＣＤパネル３３は、図７のように開いた状態でＹ’軸を基準に回転されることで図８のような状態が可能となる。この場合、使用者が自分の姿を撮りながらＬＣＤパネル３３を介して撮影状態を確認することができる。反対に、撮影対象の者が自分の撮影状態を確認し、撮影者は、ビューファインダ３１を介して撮影状態を確認することもできる。
【００６７】
　モード検知部４０は、カメラ部２３、２５のうち、撮影位置に置かれたカメラ部を検知し、その撮影モードを検知するためのものである。即ち、モード検知部４０は、本体１０に対するカメラユニット２０の回転角度に応じて第１および第２のカメラ部２３、２５の何れか一方に対応する撮影モードを検知するようになる。上述のように、カメラ部２３、２５は、１８０°を基準に互いに対象となるように配置されているため、それぞれの撮影モードは、やはりほぼ１８０°を基準にしてモード検知部４０で検知するようになる。モード検知部４０は、カメラ部２３、２５の何れか一方は、オンとし、他方のカメラ部は、オフとする切換えスイッチを有することが好ましい。切換えスイッチは、たとえば、図９に示されたように、本体１０に設けられた第１および第２の接続パターン４１、４３と、接続パターン４１、４３の何れか一方と接続されるようにハウジング２１に設けられた接続端子４５を備えて構成することができる。上記の構成において、本体１０とハウジング２１とのそれぞれは、孔ｈ１、ｈ２を向かい合って相対的に回転自在に結合される。従って、接続端子４５は、本体１０に対するハウジング２１の回転角度に応じて第１の接続パターン４１または第２の接続パターン４３に接触される。ここで、第１の接続パターン４１は、第１のカメラ部２３に連結され、第２の接続パターン４３は、第２のカメラ部２５に連結されるようになる。この場合、図１０に示されたように、接続端子４５が第１の接続パターン４１に接触される位置にあれば、第１のカメラ部２３はオンとなり、第２のカメラ部２５は、オフとなることで、制御部５０では、第１のカメラ部２３に相当する静画の撮影モードを決定するようになる。この時、第１および第２の接続パターン４１は、約１８０°角度上で接続端子４５と接触されるように設けられる。従って、ハウジング２１、即ち、カメラユニット２０の本体１０に対する全ての回転角度上で第１および第２のカメラ部２３、２５の何れか一方は、駆動可能となる。好ましくは、図１０においてＹ軸を基準にして左側に位置するカメラ部が駆動可能であり、その位置に含まれる回転角度では全て駆動可能となる。従って、第１および第２のカメラ部２３、２５は、Ｙ軸を基準に切換えスイッチによってオン・オフが切り換えられる。
【００６８】
　制御部５０は、上述のように作動するモード検知部４０、即ち、切換えスイッチから伝達された信号によって撮影モードを選択し、選択された撮影モードに対応するカメラ部を駆動させる。制御部５０には、キー入力部７１を介して所定の制御データが入力され、セッティングされる。また、制御部５０は、第１のカメラ部２３から伝達される信号を処理する第１の映像処理部６１または第２のカメラ部２５から伝達される信号を処理する第２の映像処理部６３を選択された撮影モードに応じて選択的に駆動制御する。即ち、第１の映像処理部６１では、第１のカメラ部２３で撮影した静画を圧縮してフラッシュメモリ７３に格納し、ディスプレイ手段３０でディスプレイ可能な信号に処理する。また、第２の映像処理部６３は、第２のカメラ部２３で撮影した動画を処理する動画処理部６３ａと、前記第２のカメラ部で撮影した静画を処理する静画処理部６３ｂとに分けられる。動画処理部６３ａは、入力される動画信号を処理してテープ７４に格納し、ディスプレイ手段３０でディスプレイ可能な信号に圧縮処理する。また、静画処理部６３ｂは、入力される静画信号をフラッシュメモリ７３に格納され、ディスプレイ可能な信号に圧縮処理する。
【００６９】
　なお、映像処理部６１、６３ｂのそれぞれにおいて処理された信号は、ＭＵＸ６５で選択的に採択され、フラッシュメモリ７３に格納される。ＭＵＸ６５は、制御部５０によって制御され、設定された撮影モードに対応するカメラ部から伝達される信号を選択するように駆動される。また、ＭＵＸ６５は、モード検知部４０の切換えスイッチと連動して第１のカメラ部２３のオフ時は共にオフとなり、オープン時は共にオープンとなるように制御されることもできる。
【００７０】
　前述の構成を有する本発明の実施例に係る映像撮影装置の動作について詳述する。
【００７１】
　先ず、図１の本体１０またはハウジング２１の何れか一方に設けられるパワースイッチをオンさせる。そうすると、モード検知部４０、即ち、切換えスイッチでは、第１および第２のカメラ部２３、２５の何れか１つをオンとし、他の１つはオフとする。たとえば、図５に示されたような状態は、撮影方向（Ａ）に向かっている第１のカメラ部２３は、オン状態、第２のカメラ部２５は、オフ状態となる。このようなカメラ部２３、２５のオン・オフ状態に関する情報が切換えスイッチから制御部５０に伝達される。制御部５０では、伝達された情報に応じてオン状態の第１のカメラ部２３に対応する静画撮影モード、即ち、デジタルスチールカメラモードを選択する。
【００７２】
　前述の状態で、キー入力部７１を介して撮影命令が入力されると、制御部５０は、第１のドライバ２３ｃを制御して第１のＣＣＤ２３ｂを駆動させる。そうすると、第１のレンズ２３ａを介して撮像された静画は、第１のＣＣＤ２３ｂで電気的な信号に変換される。変換された電気信号は、静画処理部６１でフラッシュメモリ７３への格納に適合するように信号に圧縮処理される。圧縮処理された静画信号は、ＭＵＸ６５を介してフラッシュメモリ７３に格納され、リアルタイムでビューファインダ３１やＬＣＤパネル３３にディスプレイされる。また、選択的なキー入力部７１の操作で圧縮されたデジタル信号は、ＵＳＢポートを介してパソコンに伝送され、または、補助記憶装置に格納される。
【００７３】
　また、図１１に示されたように、カメラユニット２０を本体１０に対して所定角度だけさらに回転させた状態でも第１のカメラ部２３はオン状態を維持する。従って、このような状態で、撮影者は、ビューファインダ３１やＬＣＤパネル３３を介して撮影される映像を見ながら、本体１０は、一定の姿勢、即ち、楽な姿勢で把持した状態をそのまま維持しても、上下それぞれの所定角度に対しても自然な撮影が可能となる。これは、前述の図１０に関連して説明したように、第１のカメラ部２３は、Ｙ軸の左側区間１８０°範囲内ではオン状態を維持するため、ハウジング２１をその範囲内で自由に回転させながら撮影することができる。
【００７４】
　なお、静画の撮影中に動画を撮影しようとする時は、カメラユニット２０を図１のような状態から図１２のような状態に回転させる。そうすると、図１３に示されたように、接続端子４５が第２の接続パターン４３に接触される。従って、第２のカメラ部２５は、オン状態に切り換えられ、第１のカメラ部２３は、オフ状態に切り換えられる。制御部５０は、切換えスイッチから伝達された信号に応じて第２のカメラ部２５に対応する動画撮影モードに切り換えて選択するようになる。
【００７５】
　上記のような動画撮影モードにおいて、キー入力部７１を介して撮影命令が入力されると、制御部５０は、第２のドライバ２５ｃを制御して第２のＣＣＤ２５ｂを駆動させる。そうすると、第２のレンズ２５ａを介して撮像された動画は、第２のＣＣＤ２５ｂで電気的に信号に変換される。変換された電気信号は、動画処理部６３ａでテープ３４への格納に適合した信号と圧縮処理される。圧縮処理されたビデオ信号は、テープ７４に記録され、リアルタイムでビューファインダ３１とＬＣＤパネル３３を介してディスプレイされる。勿論、前記記録されたビデオ信号は、再度再生され、ＵＳＢポートを介してパソコンに伝送されることができる。
【００７６】
　また、第２のカメラ部２５を介して静画を撮影することもできる。この場合、第２のカメラ部２５で撮影された静画は、第２の映像処理部６３の静画処理部６３ｂに伝達され、フラッシュメモリ７３への格納に適合した信号に圧縮処理される。
【００７７】
　以上のように、本発明に係る映像撮影装置では、静画および動画をそれぞれ撮影し得るカメラ部を１つのユニットとして構成して本体に取り付けた。また、カメラユニット２０の回転状態に応じて、撮影可能なモードを選択し、その撮影可能なモードに相当するカメラ部を駆動させて動画または静画を撮影することができる。従って、従来、別々の製品として作られたデジタルスチールカメラとデジタルビデオカメラとを一体化することで、従来に比べて低費用で２つの機能を兼備した製品が得られる。
【００７８】
　また、従来は、２つの機能を活用するためには２つの製品を共に携帯する必要があったが、これらを一体化することで携帯が容易で、紛失のおそれが少ない利点がある。
【００７９】
　特に、単一のバッテリを用いて２つの撮影技術を利用することができ、テープおよびフラッシュメモリのそれぞれの使用が可能であるため、より経済的で、かつコンパクト化した製品を提供することができる。
【００８０】
　一方、本実施例では、バッテリ６０は、ハウジング２１に装着され、フラッシュメモリ７３は、本体１０に装着されるものを挙げているが、これは例示的なものにすぎず、互いに位置をかえて装着することもできる。この場合、本体１０とハウジング２１に対するサイズの変換とデザイン上の変化があり得る。
【００８１】
　また、ヒンジ部２７の構成は、本発明の実施例によって限定されるのではない。即ち、図示していないが、ハウジング２１の本体１０に対する回転角度のステップ化ができるように所定の回転角度決定パターンがハウジング２１や本体１０に設けられることもでき、所定の力が加えられる前には、回転された状態をそのまま維持するように本体１０とハウジング２１との間には、適切な摩擦力が作用する。
【００８２】
　また、モード検知部４０の場合、前述の切換えスイッチの他に、通常の非接触センサ、たとえば、フォトセンサなどを用いて第１および第２のカメラ部２３、２５の位置のみを検知した後、検知された信号を制御部で判断してモードを選択することもできる。このように、モード検知部４０に対する種々の変形実施が可能である。
【実施例２】
【００８３】
　図１４に示されたように、本発明の他の実施例に係る映像撮影装置は、内部にテープカセットが装着されるムービングデッキが設けられた本体１００、本体１００に対して回転自在に設けられるカメラユニット２００、ディスプレイ手段３００、モード検知部および制御部などを備えてなる。本実施例では、図１および図２に関連して前述したように、モード検知部４０および制御部５０の構成は、実施例１のものと同様であるため、詳細な説明は、省略する。
【００８４】
　本体１００は、ムービングデッキが設けられたメイン本体１１０と、メイン本体１００の一側から突設されたサブ本体１２０とを有する。メイン本体１００の後端、即ち、撮影方向（Ａ）に露出される後端部には、外部の音響を取得するためのマイクユニット１１１が設けられる。このようなメイン本体１１０は、使用者が手で把持する個所で、メイン本体１１０のカメラユニット２００が連結される反対個所、即ち、図１５に示されたように、取っ手用紐１１３が設けられる。また、メイン本体１１０の下面を介してテープカセットの装着ができるようにデッキドア１１５が下面および側面に開閉するように設けられる。従って、図１６に示されたように、メイン本体１１０の下面には、デッキドア１１５をオープンさせるためのドアオープンレバー１１６が設けられる。また、メイン本体１１０、具体的には、デッキドア１１５には、フラッシュメモリカード７３が装着されるフラッシュメモリ装着部１１７が設けられる。また、メモリ装着部１１７は、フラッシュメモリ７３が装着されているか否かが確認できる確認窓１１７ａを有する。確認窓１１７ａは、メモリ装着部１１７を穿孔するか、または、透明窓を取り付けることによって設けられる。本実施例では、フラッシュメモリ装着部１１７は、デッキドア１１５に設けられている。
【００８５】
　また、メイン本体１１０の前面には、各種機能を操作するためのボタンが設けられる。また、図１７に示されたように、メイン本体１１０の前面には、電源供給用ケーブル４１０が連結される電源コネクタ部１１６ａと、外部機器に信号を伝達するために信号ケーブル４２０に連結される信号連結ポート１１６ｂとが備えられたコネクタ部１１６が設けられる。コネクタ部１１６は、カバー１１８によって開閉可能となる。従って、カバー１１８を開けて図１８に示されたように、各ケーブル４１０、４２０が連結され、本体１００に電源を供給され、信号の伝達が可能となる。
【００８６】
　サブ本体１２０は、メイン本体１１０と一体をなすようにメイン本体１１０において側面に突出するように形成される。サブ本体１２０には、後述のディスプレイパネル３３０が支持される。また、図１８に示されたように、サブ本体１２０の前面には、パネル３３０が収容されるパネル収容溝１２１が形成される。パネル収容溝１２１の底部には、再生される音響を出力するためのスピーカユニット１２１ａが設けられる。また、パネル収容溝１２１には、外部機器との信号伝達を行うための信号連結ポート１２１ｂ、１２１ｃが設けられる。サブ本体１２０の後面は、カメラユニット２００の両端部の何れか一方と所定間隔離間して向かい合う。カメラユニット２００が回転自在に設けられる点を考え、カメラユニット２００とサブ本体１２０との間の間隔を最小化しながら相互間の干渉を防止するためサブ本体１２０の後面は、内側に湾曲して形成された曲面１２０からなる。
【００８７】
　カメラユニット２００は、内部に複数のカメラ部が設けられたハウジング２１０と、ハウジング２１０を本体１００に回転自在に連結するヒンジ部２３１を有する。ハウジング２１０は、ヒンジ部２３１を中心に少なくとも１８０°以上回転するように設けられる。ハウジング２１０内には、デジタルスチールカメラ用の第１のカメラ部２１３と、第１のカメラ部２１３より少ない画像数を有し、動画を含む映像を撮影するデジタルビデオカメラ用の第２のカメラ部２１５が設けられる。第１および第２のカメラ部２１３、２１５の配置および構成は、それぞれ前述のカメラ部２３、２５（図２および図５）と同様であるため、詳細な説明は、省略する。なお、ハウジング２１０は、ほぼ直方体の形状を有する。また、ハウジング２１０の両端部、即ち、各カメラ部２１３、２１５のレンズ２１３ａ、２１５ａが露出される両端部のそれぞれは、サブ本体１２０の曲面１２３と対応するように外側に湾曲して形成される曲面２１６、２１７を有する。各曲面２１６、２１７がサブ本体１２０の曲面１２３と最小の間隔をおいて互いに干渉しないようになる。より好ましくは、曲面２１６、２１７と曲面１２３とは、同じ曲率中心を有するが、互いに異なる曲率半径を有するように形成される。また、各曲面２１６および２１７、１２３の曲率中心は、ハウジング２１０の回転中心（Ｘ）と一致することが好ましい。図１９の状態は、第１のカメラ部２１３を介して静画を撮影する、所謂、デジタル撮影モードに相当するもので、レンズ２１３ａの出没によるズーム作業で静画を撮影する。このような状態で、一般のカムコーダ機能、即ち、ビデオ映像撮影のためにはハウジング２１０を図２０のように１８０°回転させる。これによって、レンズ２１３ａは、サブ本体１２０との干渉を回避するようにハウジング２１０内に挿入され、第２のカメラ部２１５が撮影方向に向かうこととなる。このような第１および第２のカメラ部２１３、２１５の動作およびハウジングの作動状態などについては、前述と同様であるため、省略する。
【００８８】
　また、ハウジング２１０の上部には、フラッシュユニット２３０が出没可能に設けられる。フラッシュユニット２３０は、特に、第１のカメラ部２１３の撮影方向に光を発光するように設けられる。フラッシュユニット２３０は、一般に広く使用されるワンタッチスイッチによってハウジング２１０に支持され得る。この場合、フラッシュユニット２３０は、上部を手で一度押すと、突出し、突出した状態で再度押すと、元の位置に戻るように設けられる。
【００８９】
　また、ハウジング２１０の側面には、バッテリ６０が装着されるバッテリ装着部２７０が形成される。このバッテリ装着部２７０は、ハウジング２１０の側面に所定の深さでバッテリの形状に対応するように引込み形成される。従って、バッテリ装着部２７０にバッテリが直接（但し、実施例１のスライド方式の着脱ではない）装着される。ここで、バッテリ装着部２７０には、バッテリをロック・ロック解除するロック・ロック解除ユニット２４０が設けられる。ロック・ロック解除ユニット２４０は、ハウジング２１０にスライド可能に設けられ、バッテリ装着部２７０に出没されるスライド部材２４１を含む。スライド部材２４１は、図示しないばねによってバッテリの所定個所にロック結合される方向に弾性バイアスされ得る。
【００９０】
　また、バッテリ装着部２７０の底部には、電源端子２５０と、解除されたバッテリ６０を外側に強制離脱させる離脱ユニット２６０とが設けられる。図２１に示されたように、離脱ユニット２６０は、バッテリ装着部２７０の底面に出没されるように設けられる付勢突起２６１と、付勢突起２６１を外側に弾性付勢するばね２６３を備える。従って、バッテリ６０の外された状態で強制突出する付勢突起２６１に付勢されてバッテリ６０が図２１に示されたように、バッテリ装着部２７０から所定距離突出し、分離が容易となる。
【００９１】
　ここで、電源端子２５０とロック・ロック解除ユニット２４０とは、バッテリ装着部２７０において互いに反対側に位置するように設けられる。ロック・ロック解除ユニット２４０からできるだけ遠い個所に電源端子２５０が設けられると、バッテリがバッテリ装着部２７０に装着される時、電源端子２５０とバッテリ６０との間の電気的な連結が効果的に行われる。
【００９２】
　また、離脱ユニット２６０は、バッテリ装着部２７０の底面に設けられるが、ロック・ロック解除ユニット２４０により近く位置するようになる。即ち、ロック・ロック解除ユニット２４０と離脱ユニット２６０のそれぞれのバッテリ６０に対する相対的な力が効率的に作用するように互いの位置がある程度は近く設けられることが好ましい。
【００９３】
　また、バッテリ装着部２７０は、所定の曲率で設けられた内側曲面２７１を有する。内側曲面２７１は、バッテリ６０の形状に対応するように設けられるが、曲面２１６、２１７の曲率中心と同一の曲率中心を有するように形成される。好ましくは、内側曲面２７１は、曲面２１６、２１７および曲面１２３と共にハウジング２１０の回転中心（ｘ）を曲率中心として有する。また、曲面１２３、曲面２１６、２１７および内側曲面２７１の順に小さな曲率半径を有する。
【００９４】
　また、バッテリ装着部２７０は、ハウジング２１０の回転中心（Ｘ）を基準に何れか一側に偏るように設けられる。好ましくは、バッテリ装着部２７０は、第２のカメラ部２１５側に偏るように設けられる。これは、第１のカメラ部２１３よりは相対的に小さな空間を占める第２のカメラ部２１５によってハウジング２１０の空間が第２のカメラ部２１５側において余裕が出るためである。従って、ハウジング２１０の内部空間を効果的に活用するとともに小型化設計が可能となる。
【００９５】
　さらに、ハウジング２１０には、第１のカメラ部２１３の機能を操作するための複数の第１の操作ボタン２８１ａ、第２のカメラ部２１５の機能を操作するための複数の第２の操作ボタン２８１ｂ（図１６参照）および共用の第３の操作ボタン２１８ｃが設けられる。第１の操作ボタン２１８ａは、第１のカメラ部２１３を用いた静画撮影モード時の使用に便利な操作位置、即ち、フラッシュユニット２３０が露出されるハウジング２１０の第１の面２１０ａに露出するように設けられる。そして、第２の操作ボタン２１８ｂは、第２のカメラ部２１５を用いた動画撮影モード時の使用に便利な操作位置、即ち、第２のカメラ部２１５が撮影方向に向かう時に、上方に露出されるようにハウジング２１０の第２の面２１０ｂに露出するように設けられる。第３の操作ボタン２１８ｃは、第１および第２のカメラ部２１３、２１５のそれぞれの駆動とは無関係に、共用として使用できるようにハウジング２１０の側面に露出するように設けられる。
【００９６】
　ディスプレイ手段３００は、メイン本体２１０に設けられるビューファインダ３１０およびサブ本体２２０に設けられるディスプレイパネル３３０を備える。ビューファインダ３１０は、メイン本体２１０の前面上部に設けられ、カメラ部２１３、２１５のうちの選択された何れか１つで撮影される映像または再生される映像をディスプレイする。
【００９７】
　ディスプレイパネル３３０は、サブ本体２２０において互いに交差する２軸にそれぞれ回転自在に設けられる。このようなディスプレイパネル３３０の構成は、図１のディスプレイパネル３３と同様であるため、詳細な説明は、省略する。
【産業上の利用可能性】
【００９８】
　本発明の映像撮影装置は、静画を撮影するスチールカメラと動画を撮影するビデオカメラとを含む撮影装置に適用されることができる。
【図面の簡単な説明】
【００９９】
【図１】本発明の実施例に係る映像撮影装置を示す斜視図である。
【図２】本発明の実施例に係る映像撮影装置を説明するための概略的なブロック図である。
【図３】図１に示された映像撮影装置の底面図である。
【図４】図１に示された映像撮影装置の概略的な断面図である。
【図５】図１に示された映像撮影装置の側面図である。
【図６】本発明の実施例に係る映像撮影装置を示す斜視図である。
【図７】図６においてＬＣＤパネルをオープンさせた状態を説明するための斜視図である。
【図８】図６においてＬＣＤパネルをオープンさせた状態を説明するための斜視図である。
【図９】図２のモード検知部の一例としての切換えスイッチを説明するための概略的な斜視図である。
【図１０】図９に示された切換えスイッチによって第１のカメラ部がオンした状態を示す概略的な図である。
【図１１】本発明の実施例に係る映像撮影装置を用いて静画を撮影する一例を説明するための側面図である。
【図１２】本発明の実施例に係る映像撮影装置を用いて動画を撮影する一例を説明するための側面図である。
【図１３】図９に示された切換えスイッチによって第２のカメラ部がオンした状態を示す概略的な図である。
【図１４】本発明の他の実施例に係る映像撮影装置である。
【図１５】図１４に示された映像撮影装置の右側面図である。
【図１６】図１４に示された映像撮影装置の底面図である。
【図１７】本発明の他の実施例に係る映像撮影装置の動作状態を説明するための斜視図である。
【図１８】本発明の他の実施例に係る映像撮影装置の動作状態を説明するための斜視図である。
【図１９】図１４に示された映像撮影装置の左側面図である。
【図２０】図１９の状態においてハウジングが１８０°回転された状態を示す左側面図である。
【図２１】図９のＩ−Ｔ線に沿った断面図である。
【符号の説明】
【０１００】
１０、１００　本体
２０、２００　カメラユニット
２３（２１３）、２５（２１５）　第１および第２のカメラ部
３０、３００　ディスプレイ手段
３１、３１０　ビューファインダ
３３、３３０　ＬＣＤパネル
４０　　検知部
５０　　制御部
６０　　バッテリ
１１０　メイン本体
１２０　サブ本体
２１０　ハウジング
２３０　フラッシュユニット
２４０　ロック・ロック解除ユニット
２５０　電源端子
２６０　離脱ユニット
２７０　バッテリ装着部
【図１】
2004135338.tif 000003
【図２】
2004135338.tif 000004
【図３】
2004135338.tif 000005
【図４】
2004135338.tif 000006
【図５】
2004135338.tif 000007
【図６】
2004135338.tif 000008
【図７】
2004135338.tif 000009
【図８】
2004135338.tif 000010
【図９】
2004135338.tif 000011
【図１０】
2004135338.tif 000012
【図１１】
2004135338.tif 000013
【図１２】
2004135338.tif 000014
【図１３】
2004135338.tif 000015
【図１４】
2004135338.tif 000016
【図１５】
2004135338.tif 000017
【図１６】
2004135338.tif 000018
【図１７】
2004135338.tif 000019
【図１８】
2004135338.tif 000020
【図１９】
2004135338.tif 000021
【図２０】
2004135338.tif 000022
【図２１】
2004135338.tif 000023